(57)【特許請求の範囲】
【請求項１】
商品収納室を備えた自動販売機本体と、
前記自動販売機本体の前面を開閉する外扉と、
前記外扉に取り付けられ、前記自動販売機本体の商品収納室から搬出される商品を商品受容部材で受容し、前記商品受容部材で受容した商品を前記外扉に開設された開口を介して取り出すための商品取出装置と、
を備え、
前記商品受容部材は、前後方向に分離可能な第１の受容部材及び第２の受容部材を含み、前記第１の受容部材は、前記外扉の後方側に位置しつつ前記外扉に一体的に固定される一方、前記第２の受容部材は、前記第１の受容部材に対して前方にスライド可能に配置され、少なくとも前記第１の受容部材の方向に押し込んだ第１の位置と前記第１の受容部材から離れる方向に引き出した第２の位置とにおいて前記外扉の内側から前記外扉に固定される、
自動販売機。
【請求項２】
前記開口を開閉する開閉扉と、
前記第２の受容部材を前記第２の位置に引き出した状態において、前記外扉の前面と前記開閉扉の両側部との間に存在する側方の隙間を閉塞する閉塞部材と、
を更に備えた、請求項１に記載の自動販売機。
【請求項３】
前記第２の受容部材の前面に、該第２の受容部材の一部を覆い隠す化粧板が取り付けられ、
前記閉塞部材は、前記化粧板と前記外扉との間に少なくとも一部が介在される、左右一対のスペーサからなる、
請求項２に記載の自動販売機。
【請求項４】
前記スペーサの対向する一側面に、前記開閉扉の下端部が着座する着座部が形成されている、
請求項３に記載の自動販売機。
【発明の詳細な説明】
【技術分野】
【０００１】
本発明は、各種容器に充填された飲料などの商品を販売する自動販売機に関する。
【背景技術】
【０００２】
商品を販売する自動販売機の商品取出口について、特開平８−８７６６１号公報（特許文献１）に記載されるように、上面及び背面を開放した箱状体を引き出すことによって、商品の取り出しを容易にする技術が提案されている。そして、箱状体を引き出して商品取出口を前方に突出させると、その上方からの商品の視認性が向上することから、商品の取り出しが容易になる。
【先行技術文献】
【特許文献】
【０００３】
【特許文献１】特開平８−８７６６１号公報
【発明の概要】
【発明が解決しようとする課題】
【０００４】
しかしながら、従来技術では、箱状体を引き出して商品取出口を前方に突出させても、商品が依然として奥まった位置にあるので、商品の搬出状態が相変わらず分かり難い。また、商品を取り出すために開閉扉を開くことに加え箱状体を引き出す必要があり、利用者にとって不便である。さらに、箱状体を引き出す構造が、何らかの原因により作動しなくなるおそれもある。このため、商品取出口を前方に突出させることが考えられるが、自動販売機の設置先によっては、扉の正面からの突出が規制されていたり、通行人がぶつかって怪我をしたり商品取出口が壊れてしまったりすることが懸念される場合がある。
【０００５】
そこで、本発明は従来技術の問題点に鑑み、商品取出口を、扉正面から突出した「突出状態」と、扉正面から突出しない「収納状態」と、に容易に変更できるようにした、自動販売機を提供することを目的とする。
【課題を解決するための手段】
【０００６】
自動販売機は、商品収納室を備えた自動販売機本体と、自動販売機本体の前面を開閉する外扉と、自動販売機本体の商品収納室から搬出される商品を商品受容部材で受容し、商品受容部材で受容した商品を外扉に開設された開口を介して取り出すための商品取出装置と、を備える。そして、商品受容部材は、前後方向に分離可能な第１の受容部材及び第２の受容部材を含む。第１の受容部材は、外扉の後方側に位置しつつ外扉に一体的に固定される。第２の受容部材は、第１の受容部材に対して前方にスライド可能に配置され、少なくとも第１の受容部材の方向に押し込んだ第１の位置と第１の受容部材から離れる方向に引き出した第２の位置とにおいて、外扉の内側から外扉に固定される。
【発明の効果】
【０００７】
商品取出口を、外扉から突出しない第１の位置（収納状態）と、外扉から突出した第２の位置（突出状態）と、に容易に変更できる。
【図面の簡単な説明】
【０００８】
【図１】自動販売機の一例を示す斜視図である。
【図２】商品取出装置の詳細を示す断面図である。
【図３】商品受容部材の詳細を示す斜視図である。
【図４】収納状態における商品取出装置の固定方法を示す断面図である。
【図５】収納状態における商品取出装置の外観を示す斜視図である。
【図６】突出状態における商品取出装置の固定方法を示す断面図である。
【図７】突出状態における商品取出装置を示す断面図である。
【図８】突出状態における商品取出装置の外観を示す斜視図である。
【図９】商品視認性の向上を説明する説明図である。
【図１０】開閉扉を外開きから内開きへと変更する手順を示し、（Ａ）〜（Ｃ）は第１手順〜第３手順の説明図である。
【発明を実施するための形態】
【０００９】
以下、添付された図面を参照し、本発明を実施するための実施形態について詳述する。
図１は、自動販売機の一例を示す。
自動販売機１０は、前面が開口した自動販売機本体１２と、自動販売機本体１２の前面開口を開閉する左右開きの外扉１４と、を有している。
【００１０】
自動販売機本体１２は、内部を上下に仕切ることにより、商品を収納する商品収納室が上部側に設けられ、商品収納室を冷却又は加熱する機器を収納する機械室が下部側に設けられている。商品収納室は、上面側、背面側、底面側及び左右両側面側が断熱材によって囲まれ、前面側が断熱性の内扉１６によって開閉されるようになっている。内扉１６の下部には、商品収納室と外扉１４に取り付けられた商品取出装置１８とを連通する商品搬出口２０が左右方向に複数開設され、商品収納室に収納された商品が商品搬出口２０を介して商品取出装置１８に搬出されるようになっている。また、各商品搬出口２０の上端側には、商品搬出口２０を開閉する搬出扉２２が取り付けられている。搬出扉２２は、商品収納室から商品搬出口２０へと搬出された商品によって押し開けられ、商品を商品取出装置１８へと搬出するようになっている。
【００１１】
商品取出装置１８は、図２に示すように、外扉１４の下部に開設された開口２４と、開口２４を開閉するための開閉扉２６と、搬出扉２２の不正な開放を規制するための防盗板２８と、を有している。開口２４は、商品搬出口２０の前方に位置する外扉１４の前面を左右方向に延びる略矩形形状をなしている。
【００１２】
開口２４の背面側の下方には、商品搬出口２０を介して商品収納室から搬出された商品ＢＴＬを受容するための商品受容部材３０が配設されている。商品受容部材３０は、少なくとも開口２４の幅と同一の幅を有し、図３に示すように、前後方向に分離可能な第１の受容部材３０Ａ及び第２の受容部材３０Ｂを含む。第１の受容部材３０Ａは、公知の手段によって外扉１４に固定され、前方側に位置しつつ板面が水平面上に延びる部分と、その後端側から板面が斜め後方上部へと延びる部分と、を有する。第２の受容部材３０Ｂは、後方側に位置しつつ板面が水平面上に延びる部分と、その前端部から板面が斜め前方上方へと延びる部分と、その上端部から板面が上方へと延びる部分と、を有する。第２の受容部材３０Ｂの水平面上に延びる部分は、例えば、第１の受容部材３０Ａの水平面上に延びる部分の下面とこれを補強する補強部材３２の上面との間にスライド可能に挟持されている。そして、第１の受容部材３０Ａと第２の受容部材３０Ｂとを組み合わせることで、下方に向かって突出する凹部が形成され、ここで商品搬出口２０から搬出される商品ＢＴＬを受容する。なお、第２の受容部材３０Ｂのスライド構造は、例えば、前後方向に延びるスリットにピンが挿通する構成など、公知の手段を適用してもよい。
【００１３】
また、第２の受容部材３０Ｂの前面には、開口２４から第２の受容部材３０Ｂの一部が見えることを防止するため、開口２４の幅を越えて左右方向に延びる略矩形形状の化粧板３４が固定されている。化粧板３４の背面側には、化粧板３４を外扉１４に固定することにより、第２の受容部材３０Ｂを外扉１４に固定するため、トラスネジなどの締結部材が螺合する雌ネジが複数形成されている。一方、化粧板３４が取り付けられる外扉１４のパネルには、化粧板３４の雌ネジに対応した位置に締結部材が挿通する挿通孔が開設されている。さらに、化粧板３４の上端には、開閉扉２６の下端側が着座するときの衝撃を緩和する目的で、例えば、ウレタンなどの弾性体からなる緩衝部材３６が取り付けられている。
【００１４】
開口２４の背面側の左右両端には、商品受容部材３０の左右両端から上方へと延びる側板３８が設けられている。さらに、開口２４の背面側の上方には、前方に向かって下り傾斜した上面板４０が配設されている。
【００１５】
開閉扉２６は、合成樹脂などの透明板からなり、開口２４の背面側の上部に上端が回転自由に取り付けられている。開閉扉２６は、開口２４を閉じた状態で上方からの商品ＢＴＬの視認性を向上させるべく、その上部が斜めに形成されている。開閉扉２６は、下端側を前方に回転させることによって開口２４を開放し、自重によって開口２４を閉鎖する。ここで、開閉扉２６によって開口２４を閉鎖するときの衝撃を緩和するため、開閉扉２６の回転速度を低下させるダンパ機能を備えるようにしてもよい。
【００１６】
防盗板２８は、左右方向に延びる金属製の板状部材からなり、商品搬出口２０と開口２４との間に配設されている。防盗板２８は、上面板４０の下面側に連結軸を介して前後に回転自由に端部が取り付けられている。防盗板２８は、開口２４から挿入された手によって後方に回転し、下端側が搬出扉２２の前面に接触することにより、搬出扉２２の前方への回転を規制する。なお、自動販売機１０を室内に設置するなど、搬出扉２２の不正な開放を規制する必要がない場合には、防盗板２８を設けなくてもよい。
【００１７】
以上のように構成された自動販売機１０において、商品取出口を突出させない収納状態とする場合には、図４に示すように、第２の受容部材３０Ｂを第１の受容部材３０Ａの方向に押し込み、外扉１４の内側から、パネルの挿通孔を介して化粧板３４の雌ネジに、締結部材の一例としてのトラスネジ４２を螺合させる。すると、化粧板３４が外扉１４に固定されるため、化粧板３４と一体化された第２の受容部材３０Ｂが外扉１４に固定されることとなる。このとき、開口２４の下方には、図５に示すように、化粧板３４が現われるが、化粧板３４によって第２の受容部材３０Ｂが覆い隠されるので、その外見が見苦しくなることを抑制できる。
【００１８】
一方、商品取出口を突出させた突出状態とする場合には、外扉１４の内側から、外扉１４に対して化粧板３４を固定していたトラスネジ４２を取り外し、第１の受容部材３０Ａに対する第２の受容部材３０Ｂの結合を解除する。そして、図６に示すように、第２の受容部材３０Ｂを前方へと引き出し、外扉１４に対して第２の受容部材３０Ｂを固定する。
【００１９】
このとき、外扉１４の前面に対する第２の受容部材３０Ｂの突出寸法を規制するために、外扉１４と第２の受容部材３０Ｂとの間に、図３に示すような、左右一対のスペーサ４４を介在させる。スペーサ４４は、その下部に化粧板３４が収まる段部４４Ａを有する。また、スペーサ４４の対向する一側面には、開閉扉２６の下端側が着座して密閉性を高める着座部４４Ｂが形成されている。さらに、スペーサ４４の少なくとも段部４４Ａには、締結部材の一例としてのトラスネジ４２が挿通する挿通孔４４Ｃが開設されている。なお、スペーサ４４は、閉塞部材の一例として挙げられる。
【００２０】
そして、図６及び図７に示すように、外扉１４の前面にスペーサ４４を介在させて化粧板３４を配置し、外扉１４の挿通孔及びスペーサ４４の挿通孔４４Ｃを介して、外扉１４の内側からトラスネジ４２を化粧板３４の雌ネジに螺合することで、外扉１４に対して化粧板３４を固定する。化粧板３４を固定すると、これと一体化された第２の受容部材３０Ｂも外扉１４に固定される。このとき、スペーサ４４により、図８に示すように、外扉１４の前面と開閉扉２６との間に存在する側方の隙間が閉じられることから、自動販売機１０を室外に設置しても、開口２４から内部に埃や雨などが侵入することを抑制できる。また、商品取出口を突出させた突出状態では、スペーサ４４の段部４４Ａは化粧板３４が収まる形状をなしているため、化粧板３４からスペーサ４４へと至る面を滑らかな外観とすることができる。さらに、スペーサ４４の背面及び段部４４Ａを除く他の面を化粧板３４と同様な色、デザインとすれば、デザイン上の統一性を確保することができる。
【００２１】
商品取出口を突出させると、商品受容部材３０の奥行き寸法が大きくなることから、図９に示すように、自動販売機１０の利用者は、防盗板２８に邪魔されずに商品ＢＴＬの全体を視認することが可能となり、その利便性を向上させることができる。
【００２２】
第１の受容部材３０Ａに対して第２の受容部材３０Ｂを前後方向にスライド可能とすることで、防盗板２８を備えない自動販売機１０を室内に設置する場合、開閉扉２６を外開きから内開きへと簡単に切り換えることができる。即ち、図１０に示すように、第２の受容部材３０Ａを前方に引き出し、開閉扉２６と第２の受容部材３０Ｂとの干渉を回避した状態で、開閉扉２６を内側へと回転させる。そして、この状態で第２の受容部材３０Ｂを押し込むと、開閉扉２６の先端が開口２４の内側に位置するようになる。このようにすれば、商品ＢＴＬを取り出すときに、開閉扉２６を押し込むだけでよく、商品取出性を向上させることができる。なお、内開きから外開きへと切り換える場合には、前述した手順を逆に辿ればよい。
【００２３】
以上の自動販売機１０においては、外扉１４に対する第２の受容部材３０Ｂの固定は、化粧板３４の固定を介して間接的に行っていたが、外扉１４の内側において、例えば、第１の受容部材３０Ａに対して第２の受容部材３０Ｂを固定するようにしてもよい。
【符号の説明】
【００２４】
１０  自動販売機
１２  自動販売機本体
１４  外扉
１８  商品取出装置
２４  開口
２６  開閉扉
３０  商品受容部材
３０Ａ  第１の受容部材
３０Ｂ  第２の受容部材
３４  化粧板
４４  スペーサ
４４Ｂ  着座部
ＢＴＬ  商品
【図１】
0005416733.tif 000002
【図２】
0005416733.tif 000003
【図３】
0005416733.tif 000004
【図４】
0005416733.tif 000005
【図５】
0005416733.tif 000006
【図６】
0005416733.tif 000007
【図７】
0005416733.tif 000008
【図８】
0005416733.tif 000009
【図９】
0005416733.tif 000010
【図１０】
0005416733.tif 000011